(57)【要約】無線通信を行うためのランダムアクセス応答（ＲＡＲ）信号を動的に処理するためのデバイスおよび方法ならびにシステムが開示される。いくつかの実施形態では、デバイスは、１つまたは複数のランダムアクセス応答（ＲＡＲ）信号を受信するように構成され、プロセッサが複数のＲＡＲ信号を受信するとき、それは、ＲＡＲ信号を選択し、１つまたは複数のＲＡＲ信号のコンテンツに基づいて、選択されたＲＡＲ信号に応答し、選択されたＲＡＲ信号に含まれる情報を使用して、後の無線通信を続行する。
2019506100.tif 000002
【特許請求の範囲】
【請求項１】
無線通信デバイスであって、前記無線通信デバイスは、
１つまたは複数のランダムアクセス応答（ＲＡＲ）信号を受信するように構成されているプロセッサを備え、前記プロセッサが前記１つまたは複数のＲＡＲ信号を受信し、正常に復号した場合、前記プロセッサは、前記受信され、正常に復号された１つまたは複数のＲＡＲ信号に基づいてＲＡＲ信号を選択し、それに応答し、前記選択されたＲＡＲ信号に含まれる情報を使用して、後の無線通信を続行する、無線通信デバイス。
【請求項２】
前記プロセッサは、少なくとも１つのＲＡＲ信号を受信し、正常に復号した後、前記少なくとも１つのＲＡＲ信号のコンテンツがＲＡＲ信号のさらなる受信を終了させるように前記プロセッサに命令する場合、ＲＡＲ信号のさらなる受信を終了させるようにさらに構成されている、請求項１に記載の無線通信デバイス。
【請求項３】
前記少なくとも１つのＲＡＲ信号の前記コンテンツは、優先度インジケータを備え、前記プロセッサは、前記優先度インジケータ値が事前決定された閾値を上回る場合、または下回る場合、ＲＡＲ信号のさらなる受信を終了させるようにさらに構成されている、請求項２に記載の無線通信デバイス。
【請求項４】
前記少なくとも１つのＲＡＲ信号の前記コンテンツは、処理能力、記憶能力、無線負荷、バックホール負荷、フロントホール負荷、処理負荷、記憶負荷、提供されるサービスの質（ＱｏＳ）、提供される待ち時間、提供されるスループット、提供される信頼性、サポートされる周波数帯域、サポートされるネットワークスライス、およびサポートされる通信モードから成る群からの少なくとも１つのパラメータを備えている、請求項２に記載の無線通信デバイス。
【請求項５】
前記ＲＡＲ受信終了は、ランダムアクセス構成に基づき、前記ランダムアクセス構成は、
正常に受信されたＲＡＲ信号の数であって、その後、さらなるＲＡＲ受信は、終了させられる、正常に受信されたＲＡＲ信号の数と、
ＲＡＲ受信および復号が全てのＲＡＲリソースに対して行われるという指示と、
閾値を上回る受信電力を伴うＲＡＲが正常に受信された後、ＲＡＲ受信および復号が終了させられるという指示と、
ＲＡＲ受信が１つ以上の正常に受信されたＲＡＲ信号における優先度インジケータの使用によって終了させられるという指示と、
ＲＡＲ受信が１つ以上の正常に受信されたＲＡＲ信号のコンテンツに基づいて終了させられるという指示と
から成るパラメータの群から選択される少なくとも１つのパラメータを備えている、請求項１に記載の無線通信デバイス。
【請求項６】
前記プロセッサは、前記１つまたは複数のＲＡＲ信号に対して行われる測定に基づいてＲＡＲ信号を選択するようにさらに構成されている、請求項１に記載の無線通信デバイス。
【請求項７】
前記プロセッサは、少なくとも前記選択されたＲＡＲ信号のコンテンツに基づいてＲＡＲ信号を選択するようにさらに構成されている、請求項１に記載の無線通信デバイス。
【請求項８】
前記選択されたＲＡＲ信号の前記コンテンツは、優先度インジケータを備え、前記プロセッサは、前記優先度の値に基づいて前記選択されたＲＡＲ信号を選択するようにさらに構成されている、請求項７に記載の無線通信デバイス。
【請求項９】
前記プロセッサは、前記１つまたは複数のＲＡＲ信号に対して行われる少なくとも１つの測定にも基づいて前記ＲＡＲ信号を選択するようにさらに構成されている、請求項８に記載の無線通信デバイス。
【請求項１０】
前記少なくとも１つの測定は、前記１つまたは複数のＲＡＲ信号の受信時における受信電力の測定を含む、請求項９に記載の無線通信デバイス。
【請求項１１】
無線通信を行うためのランダムアクセス応答（ＲＡＲ）信号を動的に処理する方法であって、前記方法は、
第１のＲＡＲリソースから第１のＲＡＲ信号を受信し、復号することと、
前記第１のＲＡＲ信号のコンテンツが追加のＲＡＲ信号の受信および復号を終了させるように受信デバイスに命令しているかどうかを決定することと、
前記第１のＲＡＲ信号の前記コンテンツが追加のＲＡＲ信号の受信および復号を終了させるように前記受信デバイスに命令している場合、追加のＲＡＲ信号の受信を終了させ、前記第１のＲＡＲ信号に含まれる情報を使用して、前記無線通信を続行することと、
前記第１のＲＡＲ信号の前記コンテンツが追加のＲＡＲ信号の受信および復号を終了させるように前記受信デバイスに命令していない場合、第２のＲＡＲリソースが信号を前記デバイスに送信するために利用可能であるかどうかを決定することと
を含む、方法。
【請求項１２】
前記第１のＲＡＲ信号の前記コンテンツが追加のＲＡＲ信号の受信および復号を終了させるように前記受信デバイスに命令している場合、前記コンテンツは、事前決定された閾値を上回る値または下回る値を有する優先度インジケータを備えている、請求項１１に記載の方法。
【請求項１３】
前記第１のＲＡＲ信号の前記コンテンツが追加のＲＡＲ信号の受信および復号を終了させるように前記受信デバイスに命令している場合、前記少なくとも１つのＲＡＲ信号の前記コンテンツは、処理能力、記憶能力、無線負荷、バックホール負荷、フロントホール負荷、処理負荷、記憶負荷、提供されるサービスの質（ＱｏＳ）、提供される待ち時間、提供されるスループット、提供される信頼性、サポートされる周波数帯域、サポートされるネットワークスライス、およびサポートされる通信モードから成る群からの少なくとも１つのパラメータを備えている、請求項１１に記載の方法。
【請求項１４】
前記第１のＲＡＲ信号に対する測定を行い、前記測定および前記第１のＲＡＲ信号の前記コンテンツに基づいて、さらなるＲＡＲ信号の受信を終了させるべきかどうかを決定することをさらに含む、請求項１１に記載の方法。
【請求項１５】
前記第１のＲＡＲ信号の前記コンテンツが追加のＲＡＲ信号の受信および復号を終了させるように前記受信デバイスに命令しておらず、第２のＲＡＲリソースが信号を前記デバイスに送信するために利用可能である場合、前記方法は、前記第２のＲＡＲリソースから前記第２のＲＡＲ信号を受信し、復号することをさらに含む、請求項１１に記載の方法。
【請求項１６】
前記第２のＲＡＲ信号のコンテンツが追加のＲＡＲ信号の受信および復号を終了させるように前記受信デバイスに命令しているかどうかを決定することと、
前記第２のＲＡＲ信号の前記コンテンツが追加のＲＡＲ信号の受信および復号を終了させるように前記受信デバイスに命令している場合、追加のＲＡＲ信号の受信を終了させ、前記第２のＲＡＲ信号に含まれる情報を使用して、前記無線通信を続行することと、
前記第２のＲＡＲ信号の前記コンテンツが追加のＲＡＲ信号の受信および復号を終了させるように前記受信デバイスに命令していない場合、第３のＲＡＲリソースが信号を前記デバイスに送信するために利用可能であるかどうかを決定することと
をさらに含む、請求項１５に記載の方法。
【請求項１７】
前記第２のＲＡＲ信号の前記コンテンツが追加のＲＡＲ信号の受信および復号を終了させるように前記受信デバイスに命令しておらず、前記第３のＲＡＲリソースが利用可能ではない場合、前記方法は、
前記第２のＲＡＲ信号に対する測定を行うことと、
前記第１および第２のＲＡＲ信号に対する前記測定に基づいて、前記第１のＲＡＲ信号または前記第２のＲＡＲ信号のいずれかを選択することであって、前記選択された第１または第２のＲＡＲ信号の中に含まれる情報は、前記無線通信を続行するために使用される、ことと
をさらに含む、請求項１６に記載の方法。
【請求項１８】
コンピュータ実行可能命令を記憶している非一過性コンピュータ読み取り可能な媒体であって、前記命令は、実行されると、無線通信を行うためのランダムアクセス応答（ＲＡＲ）信号を動的に処理する方法を行い、前記方法は、
第１のＲＡＲリソースから第１のＲＡＲ信号を受信し、復号することと、
前記第１のＲＡＲ信号のコンテンツが追加のＲＡＲ信号の受信および復号を終了させるように受信デバイスに命令しているかどうかを決定することと、
前記第１のＲＡＲ信号の前記コンテンツが追加のＲＡＲ信号の受信および復号を終了させるように前記受信デバイスに命令している場合、追加のＲＡＲ信号の受信を終了させ、前記第１のＲＡＲ信号に含まれる情報を使用して、前記無線通信を続行することと、
前記第１のＲＡＲ信号の前記コンテンツが追加のＲＡＲ信号の受信および復号を終了させるように前記受信デバイスに命令していない場合、第２のＲＡＲリソースが信号を前記デバイスに送信するために利用可能であるかどうかを決定することと
を含む、非一過性コンピュータ読み取り可能な媒体。
【請求項１９】
前記第１のＲＡＲ信号の前記コンテンツが追加のＲＡＲ信号の受信および復号を終了させるように前記受信デバイスに命令している場合、前記コンテンツは、事前決定された閾値を上回る値または下回る値を有する優先度インジケータを備えている、請求項１８に記載の非一過性コンピュータ読み取り可能な媒体。
【請求項２０】
前記第１のＲＡＲ信号の前記コンテンツが追加のＲＡＲ信号の受信および復号を終了させるように前記受信デバイスに命令している場合、前記少なくとも１つのＲＡＲ信号の前記コンテンツは、処理能力、記憶能力、無線負荷、バックホール負荷、フロントホール負荷、処理負荷、記憶負荷、提供されるサービスの質（ＱｏＳ）、提供される待ち時間、提供されるスループット、提供される信頼性、サポートされる周波数帯域、サポートされるネットワークスライス、およびサポートされる通信モードから成る群からの少なくとも１つのパラメータを備えている、請求項１８に記載の非一過性コンピュータ読み取り可能な媒体。
【請求項２１】
前記方法は、前記第１のＲＡＲ信号に対する測定を行い、前記測定および前記第１のＲＡＲ信号の前記コンテンツに基づいて、さらなるＲＡＲ信号の受信を終了させるべきかどうかを決定することをさらに含む、請求項１８に記載の非一過性コンピュータ読み取り可能な媒体。
【請求項２２】
前記第１のＲＡＲ信号の前記コンテンツが追加のＲＡＲ信号の受信および復号を終了させるように前記受信デバイスに命令しておらず、第２のＲＡＲリソースが信号を前記デバイスに送信するために利用可能である場合、前記方法は、前記第２のＲＡＲリソースから前記第２のＲＡＲ信号を受信し、復号することをさらに含む、請求項１８に記載の非一過性コンピュータ読み取り可能な媒体。
【請求項２３】
前記方法は、
前記第２のＲＡＲ信号のコンテンツが追加のＲＡＲ信号の受信および復号を終了させるように前記受信デバイスに命令しているかどうかを決定することと、
前記第２のＲＡＲ信号の前記コンテンツが追加のＲＡＲ信号の受信および復号を終了させるように前記受信デバイスに命令している場合、追加のＲＡＲ信号の受信を終了させ、前記第２のＲＡＲ信号に含まれる情報を使用して、前記無線通信を続行することと、
前記第２のＲＡＲ信号の前記コンテンツが追加のＲＡＲ信号の受信および復号を終了させるように前記受信デバイスに命令していない場合、第３のＲＡＲリソースが信号を前記デバイスに送信するために利用可能であるかどうかを決定することと
をさらに含む、請求項２２に記載の非一過性コンピュータ読み取り可能な媒体。
【請求項２４】
前記第２のＲＡＲ信号の前記コンテンツが追加のＲＡＲ信号の受信および復号を終了させるように前記受信デバイスに命令しておらず、前記第３のＲＡＲリソースが利用可能ではない場合、前記方法は、
前記第２のＲＡＲ信号に対する測定を行うことと、
前記第１および第２のＲＡＲ信号に対する前記測定に基づいて、前記第１のＲＡＲ信号または前記第２のＲＡＲ信号のいずれかを選択することであって、前記選択された第１または第２のＲＡＲ信号の中に含まれる情報は、前記無線通信を続行するために使用される、ことと
をさらに含む、請求項２３に記載の非一過性コンピュータ読み取り可能な媒体。
【発明の詳細な説明】
【技術分野】
【０００１】
（関連出願）
本願は、米国仮出願第６２／２９８，３７４号（２０１６年２月２２日出願、名称「ＤＹＮＡＭＩＣ  ＲＡＮＤＯＭ  ＡＣＣＥＳＳ  ＲＥＳＰＯＮＳＥ  （ＲＡＲ）  ＲＥＣＥＰＴＩＯＮ  ＴＥＲＭＩＮＡＴＩＯＮ」）に対する優先権を主張し、上記出願の内容は、その全体が参照により本明細書に組み込まれる。
【０００２】
（発明の分野）
本発明は、遠隔通信システムで使用されるランダムアクセス応答（ＲＡＲ）信号を処理する方法およびシステムを対象とする。
【背景技術】
【０００３】
多くの無線通信システムでは、ネットワークは、モバイルデバイス（以降では「デバイス」）と通信する。「ネットワーク」という用語は、概して、通信をモバイルデバイスに提供するインフラストラクチャおよび機能性を指す。ネットワークは、種々の例では「モバイルネットワーク」または「セルラーネットワーク」として理解されることができる。ＬＴＥでは、例えば、ネットワーク上で通信するデバイスは、通常、ユーザ機器（「ＵＥ」）と呼ばれる。ネットワークは、伝送および受信ポイント（「ＴＲＰ」）を通して無線信号を伝送ならびに受信する。従来のセルラー無線通信システムでは、異なるＴＲＰは、多くの場合、異なるセルに関連付けられている。このシナリオでは、「ＴＲＰ」という用語は、典型的には、基地局（例えば、マクロまたはピコ基地局）のアンテナシステムを指す。いくつかのセルラー無線通信システムでは、例えば、ＴＲＰが基地局または集中型ベースバンド処理ユニットに接続される遠隔無線ユニット（ＲＲＵ）である場合、ＴＲＰが分散型アンテナシステム（ＤＡＳ）を構成する場合、または、いくつかのＴＲＰが中継装置としての役割を果たす場合、いくつかの異なるＴＲＰは、同じセルに関連付けられる。異なるＴＲＰアンテナシステムは、典型的には、共同設置されない。一方で、ベースバンド処理ユニット等のＴＲＰの他のコンポーネントは、共同設置され得る。上記議論は、１つの通信搬送波を参照し、すなわち、１つの搬送波中心周波数および帯域幅（その内側で無線信号が伝送される）を参照している。しかしながら、ＴＲＰは、多くの場合、複数の異なる搬送波上の同時通信をサポートする。そのような場合、ＴＲＰが異なる搬送波において異なるセルに関連付けられることが一般的である。
【０００４】
ネットワークノード（以降では「ノード」）は、デバイスが通信し得る抽象エンティティである。ＵＭＴＳセル（一般的に「ノードＢ」と称される）およびＬＴＥセル（一般的に「ｅＮｏｄｅＢ」と称される）は、ノードの例である。ノードは、多くの場合、それを他のノードと区別するあるパラメータおよび／または信号に関連付けられる。例えば、そのようなパラメータ／信号は、シーケンスインデックス、スクランブルシーケンス、参照信号（ＲＳ）のためのリソース、同期化信号、セルＩＤ、仮想セルＩＤ等を含み得る。ノードは、通信のために１つ以上のＴＲＰを使用し得る。ある例では、複数のＴＲＰが、ＵＭＴＳまたはＬＴＥ通信ネットワークにおいて単一のセルを提供し得る。別の例では、１つのＴＲＰが、同じ搬送波においてさえ、複数のノードを提供し得るか、または複数のノードを提供することに関与し得る。本明細書では「ノードを提供する」ことは、ノードに関連する信号の伝送および受信を指す。いくつかの他の例では、ノードは、当技術分野で公知であるように、クラウドセル、ソフトセル、および／またはハイパーセルを含み得る。
【０００５】
ＬＴＥとの関連において、ｅＮｏｄｅＢは、物理エンティティではなく、（１つ以上の「セル」に関連しての）論理エンティティであることができる。例えば、ｅＮｏｄｅＢは、１つの基地局（「物理エンティティ」）において、または複数の基地局において「実装」され得る。逆に、１つの基地局が、複数のｅＮｏｄｅＢを実装し得る。従来、基地局は、いくつかのアンテナに接続される種々のハードウェアコンポーネントを伴うキャビネットである。本明細書に議論されるいくつかの実施形態では、ＴＲＰは、いくつかの共同設置されたアンテナを伴う物理エンティティである。ある場合、完全基地局実装は、（従来の展開のように）アンテナと共同配置され得る。他の場合では、ハードウェアは、「集中型処理ユニット」の中に集中させられることができる。そのようなユニットは、（ＬＴＥの場合）多数のｅＮｏｄｅＢを「実装」し得る。中央ユニットは、無線信号を伝送および受信するために種々のＴＲＰを使用する。一般に、ｅＮｏｄｅＢは、論理エンティティであり、ＴＲＰは、物理エンティティである。しかしながら、ある場合、信号を伝送および受信することができる単一のＴＲＰは、単一のｅＮｏｄｅＢに似ている。いくつかの実施形態では、ＴＲＰが、アンテナシステムにより関連する一方で、（従来の意味での）基地局は、１つの「施設」の中に、アンテナと、種々の無線およびベースバンド処理ハードウェアコンポーネントとを含む。しかしながら、いくつかの代替実装では、ＴＲＰも、基地局であることができる。
【０００６】
いくつかの無線通信システムでは、デバイスは、ＴＲＰとしての役割、例えば、中継装置としての役割を果たし得る。したがって、デバイスは、他のデバイスがネットワークにアクセスすることを支援し得る。故に、デバイスは、ノードとしての役割を果たし得る。簡略するために、以下の議論では、「ＴＲＰ」は、伝送および受信ポイントならびに／または「ノード」を指し得る。
【０００７】
いくつかの無線通信システムでは、デバイスは、ＴＲＰおよびネットワークを通して信号を中継する必要なく、互いに直接通信し得る。したがって、ランダムアクセスの視点から、第１のデバイスは、ノードとしての役割を果たし得、第２のデバイスは、デバイスとしての役割を果たし得る。換言すると、第１のデバイスは、ランダムアクセス信号を伝送し、第２のデバイスは、ランダムアクセス応答で応答し得る。
【０００８】
「リソース」という用語は、以下の議論で使用され、時間、周波数、コード、シーケンス、または空間リソースのうちのいずれか１つ、もしくはそれらの任意の組み合わせを指す。
【０００９】
従来のセルラーシステムにおけるランダムアクセスプロシージャは、成功したランダムアクセスの仮定に基づいて、参照として本明細書で簡潔に説明される。そのようなランダムアクセスプロシージャは、概して、以下のステップまたはプロセスを伴う。
１．  ネットワーク内のセルに対応する異なるノードは、異なる参照信号（ＲＳ）およびシステム情報を伝送する。セル特定のシステム情報は、ランダムアクセス構成を含む。ランダムアクセス構成は、以下を含む。
（ａ）  ランダムアクセス信号（ＲＡＳ）構成：許容ＲＡＳリソース（時間、周波数、シーケンス、コード等）を規定する。
（ｂ）  ランダムアクセス応答（ＲＡＲ）構成：選択されたＲＡＳリソースに関して定義されるＲＡＲリソースの組を規定し、デバイスは、選択されたＲＡＳリソースに基づいてＲＡＲを予期し得る。
２．  デバイスは、隣接セルのＲＳを測定する。
３．  デバイスは、隣接セルのシステム情報を受信する。
４．  デバイスは、例えば、ＲＳ測定に基づいて、接続することを試みるべきセルを選択する。
５．  デバイスは、選択されたセルのＲＡＳ構成に基づいて、ＲＡＳリソースおよびＲＡＳ伝送電力を選択する。
６．  デバイスは、選択された伝送電力を使用して、選択されたリソース上でＲＡＳを伝送する。
７．  ＲＡＳは、選択されたセルのノードによって受信されて検出される。
８．  ノードは、ＲＡＲ構成で規定されるＲＡＲリソースの組からリソースを選択する。
９．  ノードは、選択されたリソース上でＲＡＲを伝送する。
１０．  デバイスは、ＵＥとノードとの間の通信を進めるために使用される情報を含むＲＡＲを受信する。
【００１０】
デバイスがＲＡＲを受信しない場合、より高い電力でＲＡＳを再伝送することを選定し得る（すなわち、ステップ５に戻る）。
【００１１】
別の例では、上で規定されるステップは、以下のように、ＬＴＥで使用され得る。
１．  ネットワーク内のセルに対応する異なるｅＮｏｄｅＢは、異なるＰＳＳ／ＳＳＳ、ＣＲＳ、およびシステム情報（ＭＩＢならびにＳＩＢ）を伝送する。セル特定のシステム情報は、ランダムアクセス構成を含む。ランダムアクセス構成は、以下を含む。
（ａ）  ＲＡＳ構成：許容ＲＡＳリソース（時間、周波数、シーケンス、コード等）を規定する。
（ｂ）  ＲＡＲ構成：選択されたＲＡＳリソースに関して定義されるＲＡＲリソースの組を規定し、ＵＥは、選択されたＲＡＳリソースに基づいてＲＡＲを予期し得る。
２．  ＵＥは、隣接セルのＲＳを測定する。
３．  ＵＥは、隣接セルのシステム情報を受信する。
４．  ＵＥは、ＲＳ測定に基づいて、接続しようとするセルを選択する。
５．  ＵＥは、選択されたセルのＲＡＳ構成に基づいて、ＲＡＳリソースおよびＲＡＳ伝送電力を選択する。
６．  ＵＥは、選択された伝送電力を使用して、選択されたリソース上でＲＡＳを伝送する。
７．  ＲＡＳは、選択されたセルのノードによって受信されて検出される。
８．  ノードは、ＲＡＲ構成で規定されるＲＡＲリソースの組からリソースを選択する。
９．  ノードは、選択されたリソースを使用してＲＡＲを伝送する。
１０．  ＵＥは、ＵＥとノードとの間の通信を進めるために使用される情報を含む、ＲＡＲを受信する。
【００１２】
上記ステップの順序は、種々の実装において変動し得る。ランダムアクセスが行われる毎に、１つ以上のステップが省略され得る。
【００１３】
種々のシナリオが、図１に関して説明されることができる。デバイス１０は、１つ以上のＴＲＰを伴うエリア内にある（２つのＴＲＰ１２および１４が図に示されている）。ＴＲＰ１２および１４は、１つ以上のホップ（リンク）において、有線もしくは無線接続、またはそれらの組み合わせであり得るバックホール／フロントホールコンポーネントまたはリソース（図示せず）と接続される。いくつかのシナリオでは、ランダムアクセスに関連する処理の一部または全ては、バックホール／フロントホールリソースを通してＴＲＰ１２および１４に接続される中央ベースバンド処理ユニットにおいて行われる。中央ベースバンド処理ユニットは、いくつかのシナリオでは、ＴＲＰと共同設置され得ることに留意されたい。バックホールという用語は、多くの場合、処理が主にＴＲＰにおいて（すなわち、処理の「後」で）行われるときに使用される。フロントホールという用語は、多くの場合、処理が主に中央ユニットにおいて（すなわち、処理の「前」で）行われるときに使用される。例えば、データレート、待ち時間、信頼性の観点から、バックホール／フロントホールリンクの性能は、種々のシナリオで大いに変動し得る。
【００１４】
図２では、デバイス１０は、２つの近くのＴＲＰ１２および１４によって受信されるランダムアクセス信号（ＲＡＳ）を伝送する。ＴＲＰにおいて受信されるＲＡＳが正しく検出されることができるかどうかは、例えば、ＲＡＳ伝送電力、デバイスとＴＲＰとの間の電波伝搬条件、ＴＲＰにおける干渉、ＴＲＰビーム形成および処理利得、ならびにデバイスがＲＡＳ伝送に使用したリソース上のＲＡＳを検出するようにＴＲＰが構成されるかどうか等の多くの要因に依存する。
【００１５】
いくつかのシナリオでは、ＴＲＰ１２および１４の両方において受信される信号は、図３に図示されるように、中央ベースバンド処理ユニット１６において合同ＲＡＳ検出を行うために使用されることができる。合同検出は、フロントホールを経由して異なるＴＲＰから受信される情報に基づく。いくつかの実施形態では、受信されたＲＡＳは、最終検出のために中央ベースバンド処理ユニットに送信される前、ＴＲＰにおいて多かれ少なかれ前処理されることができる。１つの極端な場合、未加工受信信号は、フロントホールを経由して中央ユニット１６に直接転送され、それは、大容量フロントホールを要求する。他の極端な場合、受信信号は、中央ユニット１６に送信される前、例えば、単一の決定変数に高度処理され、それは、低容量フロントホールのみを要求する。異なるＴＲＰが、受信されたＲＡＳを異なって処理し得る。
【００１６】
いくつかのシナリオでは、各ＴＲＰ１２および１４は、図４に図示されるように、各ＴＲＰにおいて受信される信号に基づいて、ＲＡＳ検出を別個に行う。いくつかのシナリオでは、分散型アルゴリズムが、図５に示されるように、ＲＡＳを検出するために使用される。分散型アルゴリズムは、バックホールを経由してＴＲＰ１２と１４との間で、ある情報交換を伴う。ある場合、検出決定は、複数のＴＲＰで行われることができる。いくつかの実施形態では、決定は、１つのＴＲＰで行われることができる。集中型合同検出に対する区別は、集中型アプローチにおける情報フローが、ＴＲＰから中央ベースバンド処理ユニットまでであることである。分散型アルゴリズムを使用する場合、情報交換が、多くの場合、双方向であるが、いくつかの代替実施形態では、複数の情報反復が起こり得る。
【００１７】
いくつかの実施形態では、処理がＴＲＰ内で分散されるので、すなわち、中央処理ユニットにおいて行われないので、ＴＲＰは、図４および５に示される例のように、完全な基地局である。しかしながら、他の実施形態では、例えば、図３に図示されるように、ＴＲＰは、従来の基地局機能のいくつかの部分のみを実装する。したがって、ＴＲＰは、アンテナのみ、または基本処理能力を伴うアンテナであり得、殆どの「基地局処理」は、他の場所で、例えば、おそらくＴＲＰからかなり遠くに位置する中央処理ユニットにおいて行われる。
【００１８】
上で説明されるように、デバイスは、ある場合、例えば、それらが他のデバイスとＴＲＰとの間の中継装置としての役割を果たすとき、「ネットワーク」の一部であると言われ得る。ここで考慮されるＴＲＰは、全て同一のネットワークの一部である。各ＴＲＰは、いくつかの実施形態によると、セルに対応し得る。５Ｇネットワークでは、例えば、ＵＥ／デバイスがハンドオーバされるエリア境界セルがないこともある。
代わりに、たとえデバイス／ＵＥが広いエリアにわたって移動しても、ＵＥ／デバイスは、単に抽象／論理エンティティ「ノード」（「仮想セル」と呼ばれることもある）と通信を続け得る。故に、この抽象論理エンティティ「ノード」は、デバイス／ＵＥがネットワークを通して移動するにつれて、ＴＲＰからＴＲＰまで、またはＴＲＰのグループからＴＲＰの別のグループまで移動し得る。
【００１９】
ＲＡＳを伝送した後、デバイスは、ＲＡＲの形態の応答を予期する。ＲＡＳの検出時、ネットワークは、ＲＡＲで応答すべきである。ＲＡＲを伝送して調整する異なるアプローチが、以下で議論される。ＲＡＲは、典型的には、１つ以上のＴＲＰによって伝送される（それは、「ＴＲＰとしての役割を果たすデバイス」によっても中継／伝送され得る）。ＴＲＰがネットワークの部分を構成するので、いくつかの実施形態では、ＲＡＲは、ネットワークによって伝送されると称され得る。
【００２０】
集中型合同ＲＡＳ検出を用いるようないくつかのシナリオでは、ＴＲＰからのＲＡＲ伝送は、図６に図示されるように、調整されることができる。これは、おそらく合同で複数のＴＲＰからではあるが、単一のＲＡＲのみが伝送されることをネットワークが確実にし得ることを意味する。中央ユニットは、ＲＡＲのコンテンツ、ならびに使用される時間周波数リソース等の伝送詳細を決定することができる。
【００２１】
分散型ＲＡＳ検出および別個のＲＡＳ検出を用いたいくつかのシナリオでは、ＲＡＲが種々の程度に調整され得ることに留意されたい。ＲＡＲが調整され得るかどうかは、例えば、バックホールの性能、およびアルゴリズム、プロトコル、ならびにシステムアーキテクチャの構造に依存する。例えば、長い遅延を伴う低性能バックホールは、ＲＡＲ調整を妨げ得る。低速アルゴリズムおよびプロトコルによるＲＡＳ検出とＲＡＲ伝送との間の低要求遅延も、ＲＡＲ調整を妨げ得る。
【００２２】
別個または分散型ＲＡＳ検出を用いたいくつかの場合を伴うようないくつかのシナリオでは、ＲＡＲ伝送は、調整されない。これは、ＲＡＳを検出するＴＲＰが、他のＴＲＰと調整することなくＲＡＲを伝送し得ることを意味する。故に、複数のＴＲＰがＲＡＳを検出する場合、複数の異なるＲＡＲが、図７に図示されるように、デバイスに伝送され得る。異なるＴＲＰによって伝送される異なるＲＡＲのコンテンツは、異なり得、時間周波数リソースおよび他の伝送パラメータ（コード、スクランブルシーケンス、識別等）も、異なり得る。
【００２３】
ここでのＲＡＲ調整は、概して、特定のＲＡＳの検出後の動的調整を指す。たとえ複数のＴＲＰがＲＡＳ検出後にＲＡＲ伝送を調整しないこともあるが、それらは、有利なこととして、他の方法において、半静的時間尺度（典型的には、ＲＡＳおよび対応するＲＡＲの時間尺度よりも１桁またはそれを上回って長くあり得る）で、ランダムアクセスおよびＲＡＲ伝送を調整し得る。以下のいくつかの実施形態では、動的ＲＡＲ調整および半静的ＲＡＲ調整を参照する。規定されない場合、動的ＲＡＲ調整を参照する。
【００２４】
ＬＴＥおよびＵＭＴＳでは、ＵＥは、単一のＲＡＲ（ＵＭＴＳではＡＩＣＨと呼ばれる）を予期する。ＬＴＥでは、ＵＥは、ここではＲＡＲウィンドウと呼ばれるＲＡＳ（ＰＲＡＣＨ）伝送時間に関して、ある構成可能な時間ウィンドウ内でＲＡＲを予期する。ＲＡＲウィンドウ内でＲＡＲを受信して正しく復号するＵＥは、ＲＡＲを受信し、復号する任意のさらなる試行を中断し得る。故に、ＬＴＥでは、ＵＥが、単一のＲＡＲのみ、典型的には、最初に伝送されるものを受信し、正常に復号することが予期され得る。その結果として、複数の調整されていないＲＡＲを伴うシナリオでは、ＵＥは、典型的には、最初に受信されたＲＡＲに応答する。ＵＥは、ＵＥが正しく復号した最初のＲＡＲを偶然伝送したＴＲＰと通信を継続し、最初のＲＡＲは、典型的には、伝送された最初のＲＡＲである。
【００２５】
図８は、ＬＴＥ等における単一のＲＡＲ受信に関する初期アクセスの第１の部分を大まかに構成するステップのフローチャートを示す。ステップ８０１では、デバイスは、システム情報を受信する（かつ正しく復号する）。次に、ステップ８０２では、デバイスは、多くの場合、システム情報の中に含まれる、ランダムアクセス構成を取得する。ランダムアクセス構成は、（ａ）ＲＡＳ構成（デバイスがＲＡＳおよび／またはＲＡＳ伝送電力構成を伝送するために使用し得るリソースの組を含み得る）、および／もしくは、（ｂ）ＲＡＲ構成（デバイスがＲＡＲを受信し、復号を試みるべき方法についての指示、例えば、デバイスが選択したＲＡＳリソースに基づいて、デバイスがＲＡＲのために使用されるリソース（ＲＡＲリソース）を導出すべき方法についての指示を含み得る）を含み得る。ＬＴＥでは、例えば、ＲＡＲ構成は、ＲＡＲウィンドウを含む。
【００２６】
次に、ステップ８０３では、デバイスは、使用するＲＡＳリソースおよび／またはＲＡＳに使用する伝送電力を選択する。ＲＡＳは、このステップの後、または代替として、以下に説明されるステップ８０４もしくは８０５の後に伝送され得る。選択されたＲＡＳリソースに基づいて、ステップ８０４では、デバイスは、ＲＡＲリソースの組を推定する。次に、ステップ８０５では、デバイスは、その組から、まだ受信および復号されていないＲＡＲリソースを選択する。異なるＲＡＲリソースが時間的に分散されている場合、時間的に最初のＲＡＲリソースが、時間的に後に続くＲＡＲリソースの前に受信される必要がある。異なるＲＡＲリソースが、同時であり、例えば、異なるシーケンスによって分離されている場合、デバイスは、同時ＲＡＲリソースのうちの最初に受信し、復号するいずれかを選択し得る。
【００２７】
ステップ８０６では、デバイスは、選択されたＲＡＲリソースを受信し、ＲＡＲを復号することを試みる。ステップ８０７では、デバイスは、ＲＡＲが正常に復号されたかどうかを決定する。そうではない場合、ステップ８０８では、デバイスは、全てのＲＡＲリソースが受信されたかどうかを決定する。組の中の全てのＲＡＲリソースが、成功したＲＡＲ復号を伴わずに受信された場合、ステップ８０９で、デバイスは、ＲＡＳ伝送後にＲＡＲが受信されなかったことを結論付け、失敗としてＲＡＲ受信プロシージャを終了させる。ステップ８０８では、全てのＲＡＲリソースが受信されていないことが決定される場合、プロセス８００は、ステップ８０５に戻り、上で議論されるように続行する。
【００２８】
そのステップ８０７で、ＲＡＲが復号されたことが決定される場合、ステップ８１０で、デバイスは、正しく復号されたＲＡＲを選択する。次に、ステップ８１１では、デバイスは、通信を続けるために選択されたＲＡＲの中の情報を使用し、その場合、ランダムアクセスプロシージャは、今までのところ成功している。ランダムアクセスプロシージャが失敗した場合、例えば、デバイスが最終的にステップ８０９に行き着いた場合、ある場合、デバイスは、例えば、ステップ３から、おそらくより高いＲＡＳ伝送電力を用いて、プロシージャを再開することを選定し得る。
【００２９】
ＵＭＴＳでは、デバイスは、ある時間インスタンスにおいてＲＡＲ（ＵＭＴＳではＡＩＣＨと呼ばれる）を予期し、すなわち、ＲＡＲウィンドウは、単一の伝送機会を有する。しかしながら、ＡＩＣＨは、受信されたＲＡＳの確認応答にすぎず、さらなる情報を含まない。故に、複数の調整されていないＲＡＲ（ＡＩＣＨ）を伴うシナリオでは、異なるＴＲＰからのＲＡＲ（ＡＩＣＨ）は、デバイス視点から単一のＲＡＲ（ＡＩＣＨ）として、ほぼ同時に受信されるであろう。複数の調整されていないＴＲＰの対立は、この段階で解決されない。
【００３０】
初期アクセスアプローチでは、デバイスは、複数のＲＡＲを受信することを予期し得る。換言すると、それは、第１の正常に復号されたＲＡＲの後、ＲＡＲを受信し、復号することを止めない。代わりに、デバイスは、例えば、ＲＡＲウィンドウ全体中、全ての定義されたＲＡＲリソース上で受信および復号を続ける。複数のＲＡＲの受信後、デバイスは、通信を継続するＲＡＲを選択する。選択は、ＲＡＲ、ＲＡＲコンテンツ、または他のパラメータに対する測定に基づくことができる。
【００３１】
図９は、ＲＡＲを選択し、上で議論されるように、複数のＲＡＲの受信後に通信を継続する例示的プロセス９００を図示する。ステップ９０１−９０７は、それぞれ、上で説明される図８のステップ８０１−８０７と同一である。したがって、ステップ９０１−９０７の説明は、ここでは繰り返されない。ＲＡＲがステップ９０７で正常に復号された場合、プロセス９００は、ステップ９０８に進み、デバイスは、受信され、復号されたＲＡＲに対して１つまたは複数の測定を行う。次に、ステップ９０９では、デバイスは、全てのＲＡＲリソースが受信されたかどうかを決定する。そうではない場合、プロセス９００は、ステップ９０５に戻り、そこから新たに進む。全てのＲＡＲリソースが受信された場合、ステップ９１０で、デバイスは、それが任意のＲＡＲを正常に受信して復号したかどうかを決定する。そうではない場合、ステップ９１１で、デバイスは、ＲＡＳ伝送後にＲＡＲが受信されなかったことを結論付け、失敗としてＲＡＲ受信プロシージャを終了させる。ステップ９１０では、１つ以上のＲＡＲリソースが正常に受信され、復号されたことが決定される場合、ステップ９１２で、デバイスは、ステップ９０８で行われた測定に基づいて、正常に受信され、復号されたＲＡＲの組からＲＡＲを選択する。次に、ステップ９１３では、デバイスは、通信を続けるために、選択されたＲＡＲの中の情報を使用し、その場合、ランダムアクセスプロシージャは、成功と見なされる。
【００３２】
ランダムアクセスが失敗した、例えば、デバイスが最終的にステップ９１１に行き着いた場合、デバイスは、例えば、ステップ３から、おそらくより高いＲＡＳ伝送電力を用いて、プロシージャを再開することを選定し得る。
【００３３】
調整されたＴＲＰを伴うシナリオでは、単一ＲＡＲ受信は、以下の利益を有する：デバイスが最初に正常に復号されたＲＡＲの後にＲＡＲ受信および復号を中断し得るので、低減したデバイス電力消費量；ＲＡＲが選択され、通信が継続することができるまで、デバイスがＲＡＲウィンドウの終了まで待つ必要がないので、通信のより速い設定。調整されていないＴＲＰを伴うシナリオでは、多重ＲＡＲ受信は、利益を有する。例えば、デバイスは、最も好適なＴＲＰを直接選択することができ、ＴＲＰの間のさらなる対立解決は、必要とされない。
【００３４】
一方で、調整されたＴＲＰを伴うシナリオでは、多重ＲＡＲ受信は、以下のような欠点を有する：デバイスが最初に復号されたＲＡＲの後にＲＡＲ受信および復号を中断することができないので、増加したデバイス電力消費量；ＲＡＲが選択され、通信が継続することができるまで、デバイスがＲＡＲウィンドウの終了まで待つ必要があるので、通信のより遅い設定。調整されていないＴＲＰを伴うシナリオでは、単一のＲＡＲ受信は、以下のような欠点を有する：デバイスは、最も好適なＴＲＰを直接選択することができない。代わりに、ＴＲＰ選択は、ＲＡＲを最初に伝送したＴＲＰ等の不適切な基準に基づく。
【００３５】
次世代無線通信システムでは、調整されたＴＲＰを伴うシナリオは、調整されていないＴＲＰシナリオと十分に混合され得る。例えば、１つのエリアが、それらのＲＡＲを調整することができるＴＲＰの組によってサービスされ得る一方で、隣接エリアは、それらのＲＡＲを調整することができないＴＲＰの組によってサービスされる。このシナリオに対処するために、開示される発明は、種々の実施形態に従って以下で詳細に議論される、ＲＡＲ受信の動的終了を提供する。
【発明の概要】
【課題を解決するための手段】
【００３６】
上で識別された問題に対処するように種々の一般的アプローチを提供する、種々の例示的実施形態が以下に説明される。さらなる実施形態では、本発明は、本開示の範囲内に留まりながら、本明細書に説明される２つ以上の実施形態からの特徴の組み合わせを含むことができる。
【００３７】
本発明の種々の実施形態は、デバイスによるランダムアクセス応答（ＲＡＲ）受信および復号終了の問題に対処する。従来のセルラーシステムでは、デバイスは、最初に正常に受信されたＲＡＲの後にＲＡＲ受信および復号を終了させる。将来の無線通信システムでは、デバイスが複数のＲＡＲを受信することが必要であり得る。
【００３８】
単一ＲＡＲ受信または多重ＲＡＲ受信のいずれかの動的使用を可能にすることによって、デバイスエネルギー効率および待ち時間性能は、改良されることができる。いくつかのアプローチが提案される。ＲＡＲメッセージの中に優先度インジケータを導入することによって、ネットワークは、デバイスにおいて終了を制御することができる。別のアプローチは、受信されたＲＡＲのコンテンツに基づいて、デバイスがＲＡＲ受信および復号を終了させることを可能にするものである。第３のアプローチでは、ネットワークは、例えば、システム情報で、または専用ＲＲＣ構成で、半静的に終了方法を設定することができる。
【００３９】
以下の略語または頭字語が、本開示で使用される。
【表１】
2019506100.tif 000003
【００４０】
本開示の側面は、付随する図とともに熟読されると、以下の詳細な説明から最も良く理解される。種々の特徴は、必ずしも一定の縮尺で描かれていないことに留意されたい。実際に、種々の特徴の寸法は、議論を明確にするために任意に拡大または縮小され得る。
【図面の簡単な説明】
【００４１】
【図１】図１は、バックホールおよび／またはフロントホールと接続される、２つのＴＲＰの近傍のモバイルデバイスの略図を図示する。
【図２】図２は、２つの地理的に分離されたＴＲＰによって受信されるランダムアクセス信号（ＲＡＳ）を伝送する、モバイルデバイスの略図を図示する。
【図３】図３は、フロントホールを経由して異なるＴＲＰから受信される信号情報に基づいて、合同ＲＡＳ検出が中央ベースバンド処理ユニットにおいて行われるシナリオを図示する。
【図４】図４は、互いに情報を交換することなく、図２のＴＲＰがＲＡＳ検出を別個に行うシナリオを図示する。
【図５】図５は、情報がバックホールを経由してＴＲＰの間で交換される分散型様式で、ＲＡＳ検出が行われるシナリオを図示する。
【図６】図６は、ＴＲＰ１４がＲＡＲをモバイルデバイスに伝送するはずであることを決定した、ＲＡＲコンテンツおよび伝送詳細が中央ベースバンド処理ユニットによって決定されるシナリオを図示する。
【図７】図７は、異なるＴＲＰが互いにの調整を伴わずにＲＡＲを伝送し、異なるＲＡＲが異なるコンテンツを有し、異なる時間周波数リソースを使用し得るシナリオを図示する。
【図８】図８は、概して、単一ＲＡＲ受信を伴う初期アクセスのためのデバイスプロシージャを説明するフローチャートを図示する。
【図９】図９は、概して、多重ＲＡＲ受信を伴う初期アクセスのためのデバイスプロシージャを説明するフローチャートを図示する。
【図１０】図１０は、本発明の種々の実施形態による、ＲＡＲが、追加のＲＡＲのデバイスの受信および復号を終了する優先度インジケータを含有し得、その後、デバイスが、今度の通信のための優先度インジケータを含むＲＡＲを使用するデバイスプロシージャを概して説明するフローチャートを図示する。
【図１１】図１１は、本発明の種々の実施形態による、ＲＡＲが、追加のＲＡＲのデバイスの受信および復号を終了する優先度インジケータを含有し得、その後、デバイスが、今度の通信のための優先度インジケータを含むＲＡＲを使用する別のデバイスプロシージャを概して説明するフローチャートを図示する。
【発明を実施するための形態】
【００４２】
いくつかのエリア（すなわち、空間内のデバイス場所および向き）では、単一ＲＡＲ受信を使用することが、より好適であり得る。一方で、他のエリアでは、多重ＲＡＲ受信を使用することが、より好適であり得る。異なるエリアで、かつ異なる瞬間に、異なる受信方法の同時および動的使用を可能にするために、いくつかの実施形態は、ＲＡＲメッセージの中で優先度インジケータを使用することを含む。いくつかの実施形態では、インジケータが２値である一方で、いくつかの他の実施形態では、インジケータは、３つ以上のレベルを有し得る。いくつかの実施形態では、優先度インジケータは、デバイスのＲＡＲの受信が終了させられ得るかどうか、すなわち、これ以上ＲＡＲが復号される必要がないかどうかを示す。インジケータが２値（すなわち、２つの値）である場合、一方の値は、終了を示し、他方の値は、継続的ＲＡＲ受信および復号を示し得る。いくつかの実施形態では、インジケータが非２値である場合、ある閾値レベルを上回る／下回る値が継続的ＲＡＲ受信を示すであろう一方で、他の値は、終了を示すであろう。そのような閾値レベルは、いくつかの実施形態では、ランダムアクセス構成で定義され得る。いくつかの実施形態では、終了決定は、以下で説明されるように、他のパラメータ、例えば、ＲＡＲコンテンツまたはデバイスもしくはサービスパラメータと一緒に、優先度インジケータに基づくであろう。
【００４３】
種々の実施形態では、１つ以上の優先度インジケータ値は、たとえＲＡＲが受信されても、ＲＡＳを伝送すべきことをデバイスに知らせるために使用され得る。いくつかの実施形態では、そのような値は、ＲＡＲ受信終了も示すであろう。いくつかの実施形態では、ＲＡＲは、伝送電力および／または使用すべきＲＡＳリソース等のＲＡＳ再伝送についてのさらなる情報を含み得る。いくつかの実施形態では、そのようなさらなる情報は、優先度インジケータの値によって暗に提供され得る。
【００４４】
種々の利点が、そのようなＲＡＲ優先度インジケータを使用することによって提供され得る。例では、ＲＡＲ優先度インジケータを使用することは、種々の実施形態では、低オーバーヘッドで、デバイス側でのＲＡＲ受信の終了を制御する方法、またはそれに影響を及ぼす方法をネットワークのために提供する。これは、ネットワーク側実施形態の議論の節で、以下でさらに説明される。
【００４５】
いくつかの実施形態では、優先度インジケータによる終了は、来る通信のために終了ＲＡＲが選択されるべきことを意味する。図１０は、種々の実施形態による、受信された優先度インジケータに基づいて、さらなるＲＡＲ受信を終了させるプロセス１０００を図示する。プロセス１０００のステップ１００１−１００７は、上記の図８に関連して説明されるプロセス８００のステップ８０１−８０７と同一である。したがって、ステップ１００１−１００７の説明は、ここでは繰り返されない。ステップ１００７で、ＲＡＲが正常に受信され、復号された場合、ステップ１００８で、デバイスは、復号されたＲＡＲが優先度インジケータを含むかどうかを決定する。ＲＡＲが優先度インジケータを含む（または優先度インジケータがさらなるＲＡＲ受信の終了を示す値を有する）場合、ステップ１００９で、優先度インジケータ（または事前決定された値を有する優先度インジケータ）を伴うＲＡＲが選択され、それは、ＲＡＲのさらなる受信を終了させる。次に、ステップ１０１０では、デバイスは、選択されたＲＡＲを使用して、さらなる通信を続ける。
【００４６】
一方で、ステップ１００８で、復号されたＲＡＲが優先度インジケータを含まない（またはいくつかの実施形態では、優先度インジケータの値がさらなるＲＡＲ受信の終了を示さない）ことが決定される場合、プロセス１０００は、ステップ１０１１に移行し、デバイスは、ＲＡＲに対して測定を行い、および／または受信され、復号されたＲＡＲ上のＲＡＲコンテンツを抽出する。次に、ステップ１０１２では、デバイスは、組の中の全てのＲＡＲリソースが受信されたかどうかを決定する。そうではない場合、プロセス１０００は、ステップ１００５に戻り、そこから新たに進む。ステップ１０１２で、全てのＲＡＲリソースが受信され、復号されたことが決定される場合、ステップ１０１３で、デバイスは、任意のＲＡＲが正常に受信され、復号されたかどうかを決定する。ＲＡＲが正常に受信され、復号されなかった場合、ステップ１０１４で、デバイスは、ＲＡＲがＲＡＳ伝送後に受信されなかったことを結論付け、失敗としてＲＡＲ受信プロシージャを終了させる。しかしながら、１つ以上のＲＡＲが正常に受信され、復号されたことがステップ１０１３で決定される場合、ステップ１０１５で、デバイスは、ＲＡＲ測定および／または受信されたＲＡＲのコンテンツに基づいて、正常に受信され、復号されたＲＡＲの組からＲＡＲを選択する。ＲＡＲを選択することの種々の実施形態が、以下でさらに詳細に説明される。ステップ１０１５が完了した後、プロセス１０００は、デバイスが通信を続けるために選択されたＲＡＲの中の情報を使用するステップ１０１０に進み、その場合、ランダムアクセスプロシージャは成功した。
【００４７】
いくつかの実施形態では、ステップ１００１で受信される情報は、アクセス情報テーブル（ＡＩＴ）を含み得、１つ以上のエントリが、アクセス情報を含む。ステップ１００２の種々の実施形態では、ランダムアクセス構成を取得するステップは、システムシグネチャインデックス（ＳＳＩ）、ＲＳ、または同期化信号に対する測定値、および測定結果に基づくＡＩＴにおけるエントリの選択を含み得、エントリは、ランダムアクセス構成を含む。
【００４８】
いくつかの実施形態では、優先度インジケータを使用する終了は、すでに受信され、復号されたＲＡＲ（終了優先度インジケータを含むＲＡＲを含む）のうちの１つが、図１１に図示されるように、来る通信のために選択されるべきことを示唆する。
【００４９】
図１１は、復号されたＲＡＲの中の優先度インジケータが、さらなるＲＡＲ受信および復号を終了させるが、デバイスが、今までの全ての受信されたＲＡＲからＲＡＲを依然として選択する、代替的プロセス１１００を図示する。図１１のステップ１１０１−１１０７は、上で説明される図８のステップ８０１−８０７と同一である。したがって、ステップ１１０１−１１０７の説明は、ここでは繰り返されない。ＲＡＲがステップ１１０７で正常に受信され、復号される場合、ステップ１１０８で、デバイスは、測定を行い、および／または復号されたＲＡＲからコンテンツを抽出する。次に、ステップ１１０９では、ＲＡＲのさらなる受信を終了させる事前決定された基準を満たす値を有する優先度インジケータが、復号されたＲＡＲの中に含まれるかどうかが決定される。優先度インジケータが復号されたＲＡＲの中で見出されない場合、プロセス１１００は、上で説明されるステップ１０１２と同一であるステップ１１１０に移行する。ステップ１１１１は、上で説明されるステップ１０１３と同一である。ステップ１１１２は、上で説明されるステップ１０１４と同一である。ステップ１１１３は、上で説明されるステップ１０１５と同一であり、ステップ１１１４は、上で説明されるステップ１０１０と同一である。したがって、ステップ１１１０、１１１１、１１１２、１１１３、および１１１４の説明は、ここでは繰り返されない。ステップ１１０９で、優先度インジケータが復号されたＲＡＲの中に含まれることが決定される場合、プロセスは、ステップ１１１３に移行し、そこから進む。
【００５０】
図１０および１１に示されるプロセスの間の差異を要約すると、図１０では、優先度インジケータを含むＲＡＲが選択される一方で、図１１では、今まで受信され、復号されたＲＡＲのうちの１つが、受信されたＲＡＲの測定および／またはコンテンツに基づいて選択される。図１０ならびに１１の両方では、ＲＡＲ受信および復号は、復号されたＲＡＲの中の優先度インジケータの検出に基づいて終了させられるであろう。図１０と１１との間の差異は、ＲＡＲがさらなる通信のために選択される方法である。測定が図１１（ステップ１１０８）で優先度インジケータを伴うＲＡＲに対して行われる理由は、ステップ１１１３におけるＲＡＲ選択がＲＡＲ測定に基づくことである。図１０では、いかなる選択結果にもかかわらず、優先度インジケータを伴うＲＡＲが常に選択されるので、優先度インジケータを伴うＲＡＲに対して測定を行うことは必要とされない。いくつかの実施形態では、続けるべきＲＡＲを決定するために（図１１のステップ１１１３−１１１４）、最高値を有する優先度インジケータを伴うＲＡＲが選択される。他の実施形態では、ＲＡＲは、優先度インジケータの値および／またはＲＡＲ測定（図１１のステップ１１０８）ならびに／もしくは他のＲＡＲコンテンツに基づいて選択される。これらのパラメータのうちのいずれか１つ、またはこれらのパラメータのうちの２つ以上のものの組み合わせ（すなわち、優先度インジケータ、ＲＡＲ測定結果、および他のＲＡＲコンテンツ）が、本発明の種々の実施形態に従って、さらなる通信を続けるべきＲＡＲを選択するために利用され得る。
【００５１】
種々の実施形態では、１つのＴＲＰによって伝送される１つのＲＡＲに（ＲＡＲ受信および復号終了を示す）優先度インジケータを含むための決定は、エリア内のＴＲＰ間で可能であるＲＡＲ調整のレベルに基づく（ＲＡＲ調整についての上記議論を参照）。
【００５２】
種々の実施形態では、エリア内のＴＲＰの組が、高いレベルの調整を有し（例えば、集中型処理に起因して）、それらのＲＡＲが調整され得る場合、デバイスがその受信に応答してそのＲＡＲ受信および復号を終了させ得るように、優先度インジケータが、ＴＲＰの組によって伝送される１つのＲＡＲの中に含まれ得る。換言すると、単一ＲＡＲ受信が好適であるエリアでは、終了優先度インジケータが、ＲＡＲの中に含まれる。
【００５３】
種々の実施形態では、エリア内のＴＲＰの組が、低いレベルの調整を有し（例えば、別個もしくは分散型処理および／または長期待ち時間バックホールに起因して）、それらのＲＡＲが調整されないこともある場合、優先度インジケータは、デバイスがそのＲＡＲ受信および復号を時期尚早に終了させ得ないように、ＲＡＲの中に含まれない。そのような実施形態では、多重ＲＡＲ受信が使用され得る。種々の実施形態では、デバイスが複数のＲＡＲを受信し、受信および復号を終了させていない場合、デバイスは、通信を続けるべきＲＡＲを選定し得る。換言すると、ＴＲＰ選択は、ネットワークによって事前に行われず、それは、単一ＲＡＲ受信が示されるときの場合であるが、種々の実施形態によると、複数のＲＡＲが受信された後、デバイスによって行われる。したがって、多重ＲＡＲ受信は、デバイスが応答すべきＲＡＲを決定する場合に有利である。
【００５４】
種々の実施形態では、ＲＡＲが調整されない場合、ＴＲＰは、依然として、ＲＡＲの中に優先度インジケータを含むことを選定し得る。そのような実施形態では、優先度インジケータは、デバイスにおけるＲＡＲ受信および復号の終了を示す値を与えられる。いくつかの実施形態では、ＴＲＰは、無線、バックホール／フロントホール、処理および／または記憶リソース、もしくはそれらの組み合わせの観点から、過剰な容量を有する場合、終了優先度インジケータを含む。いくつかの実施形態では、ＴＲＰおよび／または他の処理エンティティのネットワークもしくはネットワークの一部は、ＲＡＲを半静的に調整する。そのような調整の結果、たとえＴＲＰが、動的に、すなわち、ＲＡＳ検出結果に基づいて、ＲＡＲを調整していなくても、いくつかの実施形態によると、１つ以上のＴＲＰがＲＡＲの中に終了優先度インジケータを含むことであり得る。いくつかの実施形態では、ＴＲＰは、対応するＲＡＳの１つ以上の測定値および推定パラメータ（例えば、ＲＡＳ受信電力、ＲＡＳリソースまたはリソースインデックス、受信されたＲＡＳの推定時間／周波数／ドップラパラメータ）に基づいて、ＲＡＲの中に終了優先度インジケータを含む。いくつかの実施形態では、優先度インジケータの値は、ＲＡＳ受信電力に依存し得る。例えば、１の優先度インジケータ値は、ＲＡＳ受信電力が事前決定された閾値に対して非常に低いことを示し、２の優先度インジケータ値は、ＲＡＳ受信電力が事前決定された閾値に対して低いことを示す一方で、３の優先度インジケータ値は、ＲＡＳ受信電力が閾値よりも高いことを示す。いくつかの実施形態では、３の優先度インジケータ値は、さらなるＲＡＲ受信の終了も示す。
【００５５】
いくつかの実施形態では、デバイスのＲＡＳリソースまたはパラメータの選択が、サービス要件、サービスタイプ、もしくは他のデバイス側通信パラメータを示すとき、ＴＲＰは、検出されたＲＡＳリソースまたはパラメータによって伝えられる情報に基づいて、終了優先度インジケータを含み得る。例えば、ＲＡＳリソースまたはパラメータは、種々の実施形態では、デバイスにおいてランダムアクセスを開始するサービスのためのＱｏＳ要件を示す。ＴＲＰが、ＲＡＳがそのようなＱｏＳ要件をサポートすることを検出した場合、ＴＲＰは、ある値を伴う優先度ンジケータ、ある場合、ＲＡＳ受信および復号を終了させるであろう値を伴う優先度インジケータを含み得る。ＴＲＰがそのようなＱｏＳ要件をサポートしない場合、ＴＲＰは、別の値、ある場合、ＲＡＳ受信および復号を終了させないであろう値を伴う優先度インジケータを含み得る。故に、非調整ＴＲＰの場合にも、デバイスは、要求されたＱｏＳを完全にはサポートしないＴＲＰから複数のＲＡＲを受信し得る。要求されたＱｏＳレベルをサポートし得るＴＲＰからのＲＡＲは、その優先度インジケータを用いてＲＡＲ受信を終了させることができる。ＲＡＲが最初に受信され、復号されたものであった場合、それは、調整がなくても単一ＲＡＲ受信をもたらすであろう。
【００５６】
ＲＡＲ（およびその値）の中に優先度インジケータを含むための決定は、いくつかの実施形態では、ＴＲＰによって行われる。いくつかの実施形態では、決定は、集中型ベースバンド処理ユニットによって行われる。いくつかの組み合わせでは、決定は、複数の処理ユニットおよび／またはＴＲＰならびに／もしくは他のネットワーク要素を伴い、かつバックホールまたはフロントホールを経由した情報／パラメータの交換を伴う分散型アルゴリズムを使用して行われる。いくつかの実施形態では、優先度インジケータを含むための決定は、ユニット／ＴＲＰ／要素の間の半静的調整に基づいて行われる。いくつかの実施形態では、優先度インジケータを含むための決定は、上でも説明されるように、ローカル測定値、ローカル性能インジケータ等の動的パラメータに基づいて動的に行われる。
【００５７】
ここでの状況は、ランダムアクセスプロシージャの１つのインスタンスであり、すなわち、１つのＲＡＳの伝送に関連するプロシージャに対応することに留意されたい。デバイスが、後にＲＡＳを再び伝送する場合、前のＲＡＳ伝送に対応する、ＲＡＲ受信および復号の前の終了は、もはや有効ではない。複数のランダムアクセスプロシージャを行うデバイスに対して、デバイスが前のランダムアクセスに関連してランダムアクセス構成をすでに取得している場合、デバイスは、上記のステップ１００１／１１０１および１００２／１１０２（システム情報を受信し、ランダムアクセス構成を取得する）を省略し得る。
【００５８】
いくつかのエリアでは、単一ＲＡＲ受信を使用することが、より好適であり得る。一方で、他のエリアでは、多重ＲＡＲ受信を使用することが、より好適であり得る。異なるエリアで、かつ異なる瞬間に、異なる受信方法の同時および動的使用を可能にするために、いくつかの実施形態は、１つ以上の正常に復号されたＲＡＲのコンテンツに基づいて、デバイスにＲＡＲ受信および復号を終了させる。そのような実施形態では、優先度インジケータ以外のＲＡＲコンテンツが考慮される。
【００５９】
種々の利点が、ＲＡＲコンテンツ点検に基づいて、デバイスがＲＡＲ受信を終了させることを可能にすることによって、提供され得る。一例では、ＲＡＲコンテンツ点検を使用して、より具体的なデバイス要件と異なるＲＡＲを伝送するノードおよびＴＲＰの能力との間の（ＲＡＲ選択段階中の）合致が、促進され得る。したがって、ＲＡＳ伝送と完全に動作する後続のデータ通信との間の遅延は、改良されることができる。しかしながら、ＲＡＲにおける広範なコンテンツの包含は、ランダムアクセスプロシージャ中のオーバーヘッドの観点から高価であり得る。故に、適切なトレードオフが、所望の性能結果に基づいて見出されるはずである。
【００６０】
種々の実施形態では、ＲＡＲは、終了ＴＲＰの以下の特性のうちの１つ以上のもの等の種々の情報を含む。
・  処理、記憶、および／または関連能力
・  無線、バックホール／フロントホール、処理および／または記憶負荷
・  提供／サポートされる待ち時間、スループット、および信頼性の組み合わせ等の、例えば、待ち時間、スループット、および／または信頼性の観点からの提供／サポートされるＱｏＳ
・  サポートされる周波数帯域
・  サポートされるネットワークスライス
・  サポートされる通信モード、例えば、自動車通信用のモード、大規模マシンタイプ（モノのインターネット）通信、基幹マシンタイプ通信、極度モバイル広帯域通信、高速通信、エネルギー効率的通信、長距離通信、衛星または他の空中ベースの通信と適合性がある通信、工場または自動化通信、セキュア通信、ｅ−ヘルス通信、スマートグリッド通信等。通信モードは、種々の実施形態では、例えば、上記のリストからのモードの明示的指示によって、またはいくつかの構成の仕様によってのいずれかで、ＲＡＲの中で規定され得る。通信モードは、種々の実施形態では、以下の構成のうちの１つ以上のものを含み得る。
○  プロトコル
○  プロトコル構成
○  プロトコルの時間および周波数パラメータ、例えば、伝送とＡＣＫ／ＮＡＣＫとの間またはスケジューリング許可と対応する伝送との間等、伝送と応答との間の時間遅延
○  波形
○  波形のパラメータの組
○  フレーム構造構成、例えば、フレーム構造の時間周波数パラメータ
○  空間層の最大数等のサポートされるマルチアンテナ方式。
【００６１】
種々の実施形態では、ＲＡＲは、情報またはパラメータ値を明示的に備えず、むしろ、テーブルまたはリスト内の構成を指し示すインデックスを備え得、構成が、情報およびパラメータ値を明示的に規定する。そのような構成のテーブルまたはリストは、標準文書、システム情報、または無線リソース制御（ＲＲＣ）構成で規定され得る。
【００６２】
ＲＡＲコンテンツの点検による終了のための方法の種々の実施形態は、図１０および図１１のステップと実質的に類似し得るが、優先度インジケータが復号されたＲＡＲの中に含まれるかどうかの代わりに、正常に復号されたＲＡＲのＲＡＲコンテンツの点検と、そのようなコンテンツに基づいて終了させる決定を行うこととを含むように更新されるステップ１００８／１１０９を伴う。種々の実施形態では、ＲＡＲコンテンツ点検に基づく終了決定は、上で説明されるように、ＲＡＲの中の優先度インジケータの点検と組み合わせられ得る。そのような実施形態では、図１０のステップ１００９は、種々の実施形態によると、例えば、それが十分なＱｏＳが提供され得ることを示したので、そのコンテンツが前のステップにおいて終了をトリガした正常に復号されたＲＡＲを選択するであろう。種々の実施形態では、終了するための決定は、単独で、もしくはＲＡＲコンテンツおよび／または優先度インジケータ等の他のパラメータと組み合わせて、ＲＡＲ測定に基づく。いくつかの実施形態では、ＲＡＲ受信は、ＲＡＲの測定された受信電力レベルが閾値を上回る場合に終了させられ得る。
【００６３】
種々の実施形態では、デバイスは、デバイスがＲＡＲ受信および復号を終了させるかどうかを決定すべきとき、追加の遅延、エネルギー消費等を考慮し、ＲＡＲ受信を続行し得る。例えば、厳密な待ち時間要件を伴うサービスがランダムアクセスをトリガした場合、デバイスは、次のステップを即時に続けるために、十分な能力等を伴うＲＡＲが受信されるとすぐに、ＲＡＲ受信を終了させることを選定し得る。別の例では、厳密な待ち時間要件を伴わないサービスがランダムアクセスをトリガした場合、デバイスは、選択する前に複数または全てのＲＡＲを受信する余裕があり得る。第３の例では、厳密なエネルギー消費制約を伴うデバイスは、第１の正常に復号されたＲＡＲの後にＲＡＲ受信および復号を終了させることを選定し、いくつかの実施形態では、エネルギーを節約するために、十分に有能なＴＲＰから第１のＲＡＲを選定し得る。
【００６４】
ＲＡＲコンテンツに基づくデバイス側ＲＡＲ受信終了を伴う種々の実施形態は、集中型ＲＡＳ検出、分散型ＲＡＳ検出、および別個のＲＡＳ検出のために適用可能であり得る。たとえＲＡＲを伝送するＴＲＰが完全に調整されても、ＲＡＳ自体が、来る通信においてデバイスにサービス提供し得るＴＲＰをネットワークが決定することを可能にするために十分なデバイス側情報（サービス要件等）を伝えないこともある。ネットワークがそのような情報を有する場合、単に、最も好適なＴＲＰに単一のＲＡＲを伝送させ、デバイスに単一ＲＡＲ受信を使用させ得る。代わりに、複数のＲＡＲが、異なるＴＲＰによって伝送され得、デバイスは、種々の実施形態では、デバイス側の完全な情報に応じて、応答すべきＲＡＲを選定し得る。いくつかの実施形態では、ネットワークは、異なるＲＡＲコンテンツを伴うが、同じまたは大部分が重複するＴＲＰから、異なるＲＡＲを伝送し得る。これは、すでにＲＡＲ段階にある、異なる通信モード、構成等を提供するために、ネットワークによって使用され得、デバイスは、対応するＲＡＲに応答することによって最も好適なモード、構成等を選択する。ＲＡＲコンテンツに基づくＲＡＲ受信終了により、デバイス側の要件、測定値、および他の条件に基づいて、すでに受信されているＲＡＲが十分と見なされる場合、デバイスは、ＲＡＲ受信および復号を早く終了させ得る。
【００６５】
ＲＡＲコンテンツに基づく終了は、上記のような類似理由により、ＲＡＲが広範なＲＡＲ調整の可能性なしに別個のＴＲＰから伝送される実施形態にも合理的であり得る。
【００６６】
いくつかのエリアでは、単一ＲＡＲ受信が、より好適であり得る一方で、他のエリアでは、多重ＲＡＲ受信が、より好適であり得る。ネットワーク内の異なるエリアで異なるＲＡＲ受信方法の同時および動的使用を可能にするために、いくつかの実施形態は、ＲＡＲ構成の中に単一および多重ＲＡＲ受信構成を含み得、ＲＡＲ構成は、ランダムアクセス構成の一部であり得、ひいては、システム情報の一部であり得る。いくつかの実施形態では、デバイス特定のランダムアクセス構成も、例えば、無線リソース制御（ＲＲＣ）シグナリングを通した、専用（デバイス特定の）シグナリングで構成されることができる。一般に、例えば、ＲＲＣ信号シグナリングを通した専用ランダムアクセス構成は、典型的には、半静的である。これは、ＲＡＳ検出および対応するＲＡＲ伝送のより短い（動的）時間尺度を有意に上回る時間尺度で、それが変化させられることを意味する。ＬＴＥ例では、より短い動的時間尺度が、約数ミリ秒である一方で、ＲＲＣ再構成の半静的時間尺度は、典型的には、約数十または数百ミリ秒以上である。将来のシステム、例えば、５Ｇネットワークでは、動的時間尺度が、約０．１ミリ秒であることが予想される一方で、半静的時間尺度は、その１０倍以上であり得る。
【００６７】
いくつかの実施形態では、システム情報は、複数のランダムアクセス構成、それによって、おそらく複数のＲＡＲ受信終了構成を含む。そのような実施形態と上で議論される他の例示的実施形態との間の主要な区別は、システム情報実施形態では、デバイスが、例えば、システム情報またはＲＲＣシグナリングを通して、単一もしくは多重ＲＡＲ受信終了構成を取得することである。対照的に、前述の例示的実施形態は、ＲＡＲの中の優先度インジケータの受信および後続の終了と、ＲＡＲコンテンツの点検および後続の終了とを対象とする。いくつかの実施形態では、デバイスは、例えば、参照信号測定からの測定結果に基づいて、複数のランダムアクセス構成（おそらくそれによって、ＲＡＲ受信終了構成）の間で選択する。故に、いくつかの実施形態では、図８のステップ８０２（および図９−１１の対応するステップ）は、以下のように、２つのサブステップ（８０２−１および８０２−２）に分割されることができる。
・  ８０２−１：デバイスは、システム情報の一部として受信された、複数のランダムアクセス構成のうちの１つを選定する。選択は、参照信号測定値に基づき得る。
・  ８０２−２：８０２−１の選択に基づいて、デバイスは、多くの場合、システム情報の中に含まれるランダムアクセス構成を取得する。ランダムアクセス構成は、以下を含み得る。
（ａ）  ＲＡＳ構成。これは、デバイスがＲＡＳおよび／またはＲＡＳ伝送電力構成を伝送するために使用され得るリソースの組を含み得る。
（ｂ）  ＲＡＲ構成。これは、デバイスがＲＡＲを受信し、復号することを試みるべき方法についての指図、例えば、デバイスが選択したＲＡＳリソースに基づいて、デバイスがＲＡＲに使用されるリソース（ＲＡＲリソース）を導出すべき方法についての指図を含み得る。ＬＴＥでは、ＲＡＲ構成は、ＲＡＲウィンドウを含む。
【００６８】
例えば、いくつかの実施形態では、複数のランダムアクセス構成が、アクセス情報テーブル（ＡＩＴ）と呼ばれるテーブルの中に記憶される。ＳＳＩ（システムシグネチャインデックス）と呼ばれる信号に対する測定値に基づいて、デバイスは、テーブルの中の１つのエントリを選択する。エントリは、ランダムアクセス構成を含む。しかしながら、従来のシステムおよび方法は、ＲＡＲ受信終了の構成を含むことを開示または示唆しなかった。種々の実施形態では、ＡＩＴエントリは、ＲＡＲ受信終了の構成を含む。ＳＳＩ測定値は、ＡＩＴエントリ、それによって、ＲＡＲ受信終了構成を選択するために使用される。
【００６９】
種々の非限定的実施形態では、ＲＡＲ受信終了構成が示す（または命令する）対象が、以下のように列挙される。以下の指図のうちの１つが、デバイスによって一度に使用される。指図は、異なるデバイスと並行して使用され得る。
・  ＲＡＲ受信は、最初に正常に復号されたＲＡＲの後に終了させられる（単一ＲＡＲ受信）。
・  ＲＡＲ受信および復号は、全ての構成されたＲＡＲリソースに対して行われる（多重ＲＡＲ受信）。
・  ＲＡＲ受信は、最初のＸ個の正常に復号されたＲＡＲの後に終了させられ、Ｘは、１以上の整数であり得る。
・  ＲＡＲ受信は、復号されたＲＡＲがある閾値を上回る電力を伴って受信される場合に終了させられる。閾値は、ＲＡＲ受信終了構成で構成され得る。
・  ＲＡＲ受信は、上で説明されるように、ＲＡＲの中に含まれる１つ以上の優先度インジケータの受信に基づいて終了させられる。ＲＡＲ受信終了構成は、種々の実施形態では、優先度インジケータに基づく終了のさらなる構成を含み得る。
・  ＲＡＲ受信は、上で説明されるように、１つ以上の正常に復号されたＲＡＲのコンテンツに基づいて終了させられる。ＲＡＲ受信終了構成は、種々の実施形態では、ＲＡＲコンテンツに基づく終了条件のさらなる構成を含み得る。
【００７０】
ＲＡＲ受信終了構成による、終了のためのデバイスプロシージャの種々の実施形態は、図１０および１１によって説明され得るが、以下に提供されるようないくつかの更新を伴う。
・  ステップ１００２（またはステップ８０２が上で説明されるような２つのサブステップに分割される実施形態に対して８０２−２／１００２−２／１１０２−２）：デバイスは、種々の実施形態では、ランダムアクセス構成の中に含まれるようなＲＡＲ受信終了構成も取得する。
・  ステップ１００８／１１０９：ＲＡＲ受信終了構成における構成に応じて、種々の実施形態では、デバイスは、ＲＡＲ受信および復号が終了させられるべきかどうかを決定する。このステップは、例えば、終了基準等に応じて、異なる詳細なサブステップを伴うであろう。
○  デバイスが優先度インジケータを点検するように構成されるいくつかの実施形態では、このステップは、そのような点検を伴うであろう。
○  デバイスが上で説明されるような１つ以上のＲＡＲのコンテンツを評価するように構成されるいくつかの実施形態では、このステップは、そのような評価を伴うであろう。
○  デバイスが単一ＲＡＲ受信を使用するように構成されるいくつかの実施形態では、このステップは、最初に正常に復号されたＲＡＲの後に終了を決定することを伴うであろう。
○  デバイスが多重ＲＡＲ受信を使用するように構成されるいくつかの実施形態では、このステップは、ＲＡＲ受信を終了させないことを決定することを伴うであろう。
・  （図１０の）ステップ１００９：種々の実施形態では、正常に復号されたＲＡＲが選択基準を満たしたので前のステップが終了を伴った場合（種々の実施形態に対する前のステップを参照）、このステップは、基準を満たしたＲＡＲの選択を伴うであろう。
【００７１】
ネットワークは、種々の実施形態では、異種であり得、いくつかのエリアは、集中型ベースバンド処理ユニットにおける合同処理で動作するＴＲＰを有し、他のエリアは、最小限のレベルの調整および合同処理を伴う別個の処理で動作するＴＲＰを有し、他のエリアは、他の方法で稼働する。そのような異種ネットワークでは、異なるエリアで異なるＲＡＲ受信方法を可能にすることが好適であり得る。例えば、以前に議論されたように、単一ＲＡＲ受信は、これが好適であるエリアでデバイスによって使用され得る一方で、多重ＲＡＲ受信は、これが好適であるエリアでデバイスによって使用され得る。故に、種々の実施形態では、異なる単一／多重ＲＡＲ受信構成が、異なりエリアで提供される。これは、異なる実施形態では、種々の方法で達成されることができる。
【００７２】
種々のネットワーク実施形態では、ネットワークは、異なるセルに分割され、セルは、エリアをサービス対象とし、セルは、それ自身のシステム情報を有する。種々のそのような実施形態では、異なるセルは、セルによってサービス対象とされるエリア内で何が好適であるかに応じて、（例えば、システム情報の中に含まれる）異なる単一／多重ＲＡＲ受信構成を使用し得る。これは、典型的には、セルを作成するために使用されるＴＲＰ間の調整および合同処理のレベルに依存するであろう。
【００７３】
種々のネットワーク実施形態では、広いエリアは、従来のセルラーシステムのように、明示的にセルに分割されない。代わりに、種々の実施形態では、デバイスは、測定値に基づいて異なる単一／多重ＲＡＲ受信構成を取得し得、ＲＡＲ受信構成は、いくつかのシステム情報のうちのデバイスが使用するべきシステム情報を示す。いくつかの実施形態では、広いエリア内のシステム情報は、ＡＩＴの形態であり得る。広いエリア内のデバイスがいる狭いエリアに応じて、例えば、ＳＳＩ測定値に基づいて、ＡＩＴの中の異なるエントリを選択し得る。故に、異なるＡＩＴエントリの中（すなわち、異なるランダムアクセス構成の中）の異なる単一／多重ＲＡＲ受信構成を用いて、エリア内の異なるデバイスは、異なる終了方法を使用し得る。
【００７４】
種々の実施形態では、異なるランダムアクセス構成、それによって、単一／多重ＲＡＲ受信構成は、上記の実施形態で説明されるもの以外の手段によって、異なるエリア内で（例えば、システム情報伝送によって）提供され得る。
【００７５】
本発明の種々の実施形態が、上で説明されているが、それらは、限定としてではなく、例としてのみ提示されたことを理解されたい。同様に、種々の図は、本発明に関する例示的構造的または他の構成を描写し得、それは、本発明に含まれ得る特徴および機能性の理解を補助するために行われる。本発明は、例証される例示的アーキテクチャまたは構成に制限されず、種々の代替アーキテクチャおよび構成を使用して実装されることができる。加えて、本発明は、種々の例示的実施形態および実装の観点から上で説明されているが、個々の実施形態のうちの１つ以上のものにおいて説明される種々の特徴および機能性は、それらの適用可能性において、それらが説明される特定の実施形態に限定されず、代わりに、単独で、またはある組み合わせにおいて、本発明の他の実施形態のうちの１つ以上のものに、そのような実施形態が説明されるかどうかにかかわらず、かつそのような特徴が説明される実施形態の一部であると提示されるかどうかにかかわらず、適用され得ることを理解されたい。したがって、本発明の範疇および範囲は、上で説明される例示的実施形態のうちのいずれかによって限定されるべきではない。
【００７６】
本書に説明される機能のうちの１つ以上のものは、１つ以上の適切に構成されたユニットによって実施され得る。本明細書で使用されるような「ユニット」という用語は、コンピュータ読み取り可能な媒体上に記憶され、１つ以上のプロセッサ、ファームウェア、ハードウェア、および本明細書に説明される関連付けられる機能を果たすためのこれらの要素の任意の組み合わせによって実行されるソフトウェアを指す。加えて、議論の目的のために、種々のユニットは、離散ユニットであり得るが、しかしながら、当業者に明白であろうように、２つ以上のユニットが、本発明の実施形態による関連付けられる機能を果たす単一ユニットを形成するように、組み合わせられ得る。
【００７７】
加えて、本書に説明される機能のうちの１つ以上のものは、本明細書では、概して、メモリ記憶デバイスまたは記憶ユニット等の媒体を指すように使用される、「コンピュータプログラム製品」、「コンピュータ読み取り可能な媒体」等の中に記憶される、コンピュータプログラムコードを用いて実施され得る。コンピュータ読み取り可能な媒体のこれらおよび他の形態は、プロセッサに規定された動作を実施させるように、プロセッサによる使用のための１つ以上の命令を記憶すること関与し得る。概して、「コンピュータプログラムコード」（コンピュータプログラムまたは他のグループ化の形態でグループ化され得る）と称されるそのような命令は、実行されると、コンピューティングシステムが所望の動作を実施することを可能にする。
【００７８】
明確にする目的のために、上記説明は、１つ以上の機能ユニットおよび／もしくはプロセッサを用いて実装され得る本発明の実施形態を説明していることを理解されたい。しかしながら、異なる機能ユニット、プロセッサ、またはドメイン間の機能性の任意の好適な分散が、本発明から逸脱することなく使用され得ることが明白であろう。例えば、別個のユニット、プロセッサ、またはコントローラによって実施されるように例証される機能性は、同一のユニット、プロセッサ、またはコントローラによって実施され得る。したがって、具体的機能ユニットへの言及は、厳密な論理または物理構造もしくは編成を示すのではなく、説明される機能性を提供するための好適な手段への言及のみとして見なされる。
【図１】
2019506100.tif 000004
【図２】
2019506100.tif 000005
【図３】
2019506100.tif 000006
【図４】
2019506100.tif 000007
【図５】
2019506100.tif 000008
【図６】
2019506100.tif 000009
【図７】
2019506100.tif 000010
【図８】
2019506100.tif 000011
【図９】
2019506100.tif 000012
【図１０】
2019506100.tif 000013
【図１１】
2019506100.tif 000014
【国際調査報告】
2019506100.tif 000015
2019506100.tif 000016
2019506100.tif 000017
2019506100.tif 000018
2019506100.tif 000019
2019506100.tif 000020
2019506100.tif 000021
2019506100.tif 000022
2019506100.tif 000023
2019506100.tif 000024
2019506100.tif 000025